(57)【要約】【課題】撮影者本人が必ず撮影される撮影システムを提供すること。【解決手段】リモコン１１にＬＥＤ１１０を配備する。このリモコン１１でデジタルカメラ１２に撮影指示を与えるにあたり、デジタルカメラ１２が所定の画角内にＬＥＤ１１０を捉えたときのみ、リモコン１１からの撮影指示をデジタルカメラ１２が受け付けるように構成する。デジタルカメラにとってはＬＥＤ１１０が撮影者本人を撮影させるための指標になり、また、撮影者本人にとっては表示画面上に表示されたＬＥＤ１１０ａが確認用のサインになる。【選択図】  図１
2005192015.tif 000002
【特許請求の範囲】
【請求項１】
遠隔から撮影指示を与えるリモートコントローラと、所定位置に設置され、該リモートコントローラからの撮影指示を受けて被写体の画像データを生成する撮影装置とを備えた撮影システムにおいて、
前記リモートコントローラが、前記撮影装置に視認させる発光素子を備え、
前記撮影装置は、前記発光素子を所定の画角内に捉えたときのみ、前記リモートコントローラからの撮影指示を受け付けるものであることを特徴とする撮影システム。
【請求項２】
前記撮影装置は、画角内に捉えている画像を表わす画像データを前記リモートコントローラに向けて無線送信するものであり、
前記リモートコントローラは、画像を表示する表示画面を備え、前記撮影装置から無線送信されてきた画像データを受信し前記表示画面に該画像データに基づく画像を表示するものであることを特徴とする請求項１記載の撮影システム。
【請求項３】
この撮影システムが、前記リモートコントローラと前記撮影装置に加え、さらに、該撮影装置から画像データを受け取ってファイリングする画像ファイリング装置を備えたものであり、
前記リモートコントローラが、該リモートコントローラに備えられた発光素子を該リモートコントローラのＩＤに応じて点滅させるものであり、
前記撮影装置は、前記発光素子の点滅に基づいて前記リモートコントローラのＩＤを認識し、該ＩＤを、該リモートコントローラからの撮影指示に応じた撮影により得られた画像データとともに前記画像ファイリング装置に送信するものであり、
前記画像ファイリング装置は、前記撮影装置から送信されてきた画像データとＩＤとを対応づけてファイリングするものであることを特徴とする請求項１記載の撮影システム。
【請求項４】
この撮影システムが、複数の撮影装置を備えたものであり、
前記リモートコントローラが、撮影を指示する撮影装置を選択する選択部を備えたものであることを特徴とする請求項１記載の撮影システム。
【請求項５】
前記複数の撮影装置それぞれは、それぞれの画角内に捉えている画像を表わす画像データを前記リモートコントローラに向けて無線送信するものであり、
前記リモートコントローラは、画像を表示する表示画面を備え、前記選択部により選択されている撮影装置から無線送信されてきた画像データを受信し、前記表示画面に該画像データに基づく画像を表示するものであることを特徴とする請求項４記載の撮影システム。
【発明の詳細な説明】
【技術分野】
【０００１】
本発明は、遠隔から撮影指示を与えるリモートコントローラと、所定位置に設置されそのリモートコントローラからの撮影指示を受けて被写体の画像データを生成する撮影装置とを備えた撮影システムに関する。
【背景技術】
【０００２】
テーマパークなどではサービスの一環としてテーマパーク内の様々な場所に設置された撮影装置によって入場者の撮影を行なってその撮影した写真をその入場者に提供するような撮影サービスが行なわれている。
【０００３】
このような撮影サービスを考えた場合、テーマパーク内の様々な場所に撮影装置を設置しておいて、これらの撮影装置に撮影指示を与えることが可能なリモートコントローラを各入場者に手渡すことによって入場者ごとに好きな場所でリモートコントローラにより撮影を行なってもらう撮影サービスが考えられる。このようなサービスを実現するための撮影サービスとして、テーマパーク内に設置された撮影装置で撮影した画像を表わす画像データを無線伝送により、その撮影装置に撮影指示を与えたリモートコントローラに伝送してそのリモートコントローラが備える記録手段に記録するもの（例えば特許文献１参照）が提案されている。また無線通信機を備えたレンタルカメラをリモートコントローラとして作用させてテーマパーク内に設置された撮像装置にそのレンタルカメラのレリーズに同期して撮影を行なわせてその撮影装置に生成させた画像データをそのレンタルカメラの記録媒体上に記録する撮影システムなども提案されている。
【０００４】
また、撮影装置を電話ボックス上に配備してその撮影装置と電話ボックスの中の電話機とを電気的に接続しておき、他の電話機からの撮影指示によりその電話ボックス上の撮影装置に撮影を行なわせる撮影システムも考えられている（特許文献２参照）。
【０００５】
しかしながら、テーマパーク等の閉ざされた敷地内に撮影装置を設置し、この撮影装置にリモートコントローラにより撮影指示を与えて撮影を行なう撮影システムにおいては、所定位置に設置された撮影装置の画角が固定的になってしまうため、リモートコントローラで撮影指示を与えた本人は撮影装置の画角内に本人が捉えられているつもりでも、実際には本人と無関係な被写体が捉えられて撮影が行なわれてしまう懸念がある。
【特許文献１】特開２００２−１５２７２０号公報
【特許文献２】特開平７−２４５７５０号公報
【発明の開示】
【発明が解決しようとする課題】
【０００６】
本発明は、上記事情に鑑み、撮影者本人が必ず撮影される撮影システムを提供することを目的とする。
【課題を解決するための手段】
【０００７】
上記目的を達成する本発明の撮影システムは、遠隔から撮影指示を与えるリモートコントローラと、所定位置に設置され、そのリモートコントローラからの撮影指示を受けて被写体の画像データを生成する撮影装置とを備えた撮影システムであって、
上記リモートコントローラが、上記撮影装置に視認させる発光素子を備え、
上記撮影装置は、上記発光素子を所定の画各内に捉えたときのみ、上記リモートコントローラからの撮影指示を受け付けるものであることを特徴とする。
【０００８】
上記本発明の撮影システムによれば、上記撮影装置が上記発光素子を所定の画角内に捉えたときのみ、上記リモートコントローラからの撮影指示を受け付ける。そうすると、その発光素子の位置が所定の画角内になるようにリモートコントローラを構えない限り、リモートコントローラでの撮影指示による撮影が行なわれない。つまり発光素子が、リモートコントローラを構える操作者の位置を撮影装置に視認させるためのものとなり、必ず撮影装置の所定の画角内にリモートコントローラを持つ撮影者本人が捉えられて撮影が行なわれる。
【０００９】
ここで、上記撮影装置は、画角内に捉えている画像を表わす画像データを上記リモートコントローラに向けて無線送信するものであり、
上記リモートコントローラは、画像を表示する表示画面を備え、上記撮影装置から無線送信されてきた画像データを受信し上記表示画面にその画像データに基づく画像を表示するものであることが好ましい。
【００１０】
このように、画角内に捉えている画像を表わす画像データに基づく画像がリモートコントローラの表示画面上に表示されると、リモートコントローラの操作者が意図する構図か否かを確認することができる。
【００１１】
また、この撮影システムが、上記リモートコントローラと上記撮影装置に加え、さらに、その撮影装置から画像データを受け取ってファイリングする画像ファイリング装置を備えたものであり、
上記リモートコントローラが、そのリモートコントローラに備えられた発光素子をそのリモートコントローラのＩＤに応じて点滅させるものであり、
上記撮影装置は、上記発光素子の点滅に基づいて上記リモートコントローラのＩＤを認識しそのＩＤをそのリモートコントローラからの撮影指示に応じた撮影により得られた画像データとともに上記画像ファイリング装置に送信するものであり、
上記画像ファイリング装置は、上記撮影装置から送信されてきた画像データとＩＤとを対応づけてファイリングするものであることが好ましい。
【００１２】
このように上記発光素子の点滅により上記リモートコントローラのＩＤが上記撮影装置により認識され、そのＩＤと撮影装置で生成された画像データとが画像ファイリング装置に送信されると、画像ファイリング装置でＩＤと画像データが対応付けらてＩＤごとに画像データがファイリングされる。その結果、リモートコントローラのＩＤごとに撮影画像を得ることができる。
【００１３】
また、この撮影システムが、複数の撮影装置を備えたものであり、
上記リモートコントローラが、撮影を指示する撮影装置を選択する選択部を備えたものであることが好ましい。
【００１４】
そうすると、複数の撮影装置それぞれが画角内に捉えている画像のうち、いずれかの画像が選択されて撮影が行なわれる。
【００１５】
さらに、上記複数の撮影装置それぞれは、それぞれの画角内に捉えている画像を表わす画像データを上記リモートコントローラに向けて無線送信するものであり、
上記リモートコントローラは、画像を表示する表示画面を備え、上記選択部により選択されている撮影装置から無線送信されてきた画像データを受信し、上記表示画面にその画像データに基づく画像を表示するものであることが好ましい。
【００１６】
このように複数の撮影装置のうち、いずれかが上記選択部により選択されると、その選択された撮影装置が画角内に捉えた画像を表わす画像データがリモートコントローラに向けて無線送信されてリモートコントローラの表示画面上にその無線送信されてきた画像データに基づく画像が表示され、また上記選択部により別の撮影装置が選択されるとその別の撮影装置が画角内に捉えた画像を表わす画像データがリモートコントローラに無線送信されてリモートコントローラの表示画面上にその無線送信されてきた画像データに基づく画像が表示される。このため、リモートコンとローラの操作者は、好みの構図を選択することができ、好みの構図の撮影画像を得ることができる。いままでであれば、固定的な撮影画角一つでの撮影しか行なわれなかったが、上記のようにすると、いろいろな撮影画角での撮影画像を提供することが可能となる。
【発明の効果】
【００１７】
以上、説明したように、撮影者本人が必ず撮影される撮影システムが実現される。
【発明を実施するための最良の形態】
【００１８】
以下図面を参照して本発明の実施の形態を説明する。
【００１９】
図１は、本発明の一実施形態である撮影システムを示す図である。また、図１の右下に点線で囲んで示す図は、リモコン１１を拡大して示す図である。
【００２０】
図１に示す撮影システム１は、遠隔から撮影指示を与えるリモートコントローラ１１（以下リモコンという）と、所定位置に設置されそのリモコン１１からの撮影指示を受けて被写体の画像データを生成する撮影装置ここではデジタルカメラ１２とを備えたものであって、リモコン１１がデジタルカメラ１２に視認させる発光素子１１０を備えたものである。
【００２１】
このデジタルカメラ１２は、画角内に捉えている画像を表わす画像データをリモコン１１に向けて無線送信するものであり、そのリモコン１１は、画像を表示する表示画面１１１を備え、デジタルカメラ１２から無線送信されてきた画像データを受信し表示画面１１１にその画像データに基づく画像を表示するものである。図１の点線で囲んで示した図には、デジタルカメラ１２がその発光素子ここではＬＥＤ１１０を所定の画角内に捉えたときの画像を表わす画像データがリモコン１１に無線送信され、その画像データに基づく画像がリモコン１１の表示画面１１１に表示された例が示されている。ここでは、ＬＥＤ１１０と表示画面１１１上に表示されているＬＥＤとを区別するため、表示画面上に表示されているＬＥＤに符号１１０ａを付して示してある。
【００２２】
このデジタルカメラ１２は、図１の点線で囲んだ図のように表示画面１１１上にＬＥＤ１１１ａが表示されている状態にあるときに撮影指示用の操作子であるＹ釦１１２が操作されることで撮影指示をデジタルカメラ１２が受け付けて撮影を行なう。なお、このＹ釦は、後述する選択部の構成要素でもあり、図１の点線で囲んだ図にはその選択部の構成要素として機能する十字キー１１３とＮ釦１１４も示されている。
【００２３】
本実施形態の撮影システム１では、リモコン１１から無線通信を用いてリモコン１１のＩＤを伝送するのではなく、そのリモートコントローラ１１に備えられたＬＥＤ１１０を撮影装置１２に視認させていることを利用してリモコン１１のＩＤに応じてＬＥＤ１１０を点滅させることによりＩＤを撮影装置１２に伝送している。
【００２４】
このようにしておくことでデジタルカメラ１２は、ＬＥＤ１１０を備えるリモコン１１を持つ撮影者がデジタルカメラ１２の画角内に必ず捉えられるほか、そのＬＥＤ１１０がデジタルカメラ１２に視認されてデジタルカメラ１２が撮影指示を受け付ける状態にあるときにＬＥＤ１１０の点滅に基づいてリモコン１１のＩＤがデジタルカメラ１２に認識される。したがって、デジタルカメラ１２で必ずリモコン１１を持つ撮影者本人が撮影され、さらにそのリモコン１１のＩＤが撮影時にデジタルカメラ１２に認識される。
【００２５】
また、本実施形態の撮影システムにおいては、そのリモコン１１のＩＤがリモコン１１からの撮影指示に応じた撮影により得られた画像データとともに撮影画像サーバ１３に送信され、その送信されてきた画像データとＩＤとが対応づけられてその撮影画像サーバ１３により画像データがファイリングされるシステム構成になっている。この撮影画像サーバ１３が本発明にいう画像ファイリング装置にあたる。
【００２６】
ここで、デジタルカメラ１２と撮影画像サーバ１３との接続関係およびデジタルカメラ１２の内部構成とリモートコントローラ１１の内部構成を図２、図３を参照して説明する。
【００２７】
図２はデジタルカメラ１２と画像サーバ１３との接続関係およびデジタルカメラ１２の内部構成を示す図であり、図３はリモートコントローラ１１の内部構成を示す図である。
【００２８】
図２に示すデジタルカメラ１２の全体の動作は、メインＣＰＵ１２００により統括的に制御されており、ＥＥＰＲＯＭ１２００ａ内に格納されているプログラムの手順にしたがってこのデジタルカメラ１２全体の動作が制御される。またピントあわせや絞りの選択や閃光の発光については、そのメインＣＰＵ１２００からの指示に基づいて測光・測距ＣＰＵ１２０１により制御されている。つまり、この測光・測距ＣＰＵ１２０１により撮影光学系１２０２内のフォーカスレンズ１２０２ａを移動させてピントあわせが行なわれたり、小絞り１２０２ｂや開放絞りの選択が行なわれたり、閃光発光装置１２０３の閃光発光の制御が行なわれたりする。その閃光発光装置１２０３は、充電・発光制御部１２０３ａと発光管１２０３ｂとからなり、その充電発光制御部１２０３ａにより発光管１２０３ｂでの閃光発光のタイミングおよび発光時間が細かく制御されている。
【００２９】
このようにしてピントおよび輝度が調節されて適正露出で被写体が固体撮像装置（ここではＣＣＤ固体撮像装置が用いられているので以下ＣＣＤという）１２０５に結像される。このＣＣＤ１２０５に結像された被写体を表わす画像データをリモコン側の表示画面１１１にスルー画像として表示させるため、測光・測距ＣＰＵ１２０１は、クロックジェネレータ（以下ＣＧという）１２０４を制御してＣＣＤ１２０５にクロックを供給させてＣＣＤ１２０５で生成した画像データを所定の間隔ごとに後段の白バランスγ処理部１２０６へ出力させている。この白バランスγ処理部１２０６での処理が終了したら次に後段のＡ／Ｄ変換部１２０７に供給されるようにＡ／Ｄ変換部１２０７にもクロックジェネレータ１２０４から所定の間隔ごとにクロックが供給されている。このＡ／Ｄ変換部１２０７でアナログの画像データがデジタルの画像データに変換されたら、一旦バッファメモリ１２０８にデジタルの画像データが記憶され、このバッファメモリ１２０８でバス１２０９への出力タイミングが調節されてバス１２０９を経由してＹＣ処理部１２１０に画像データが転送される。ＹＣ処理部１２１０で一般的な表示装置の表示画面にあうようにＲＧＢ信号からなる画像データがＹＣ信号からなる画像データに変換され、そのＹＣ信号からなる画像データがワイヤレス信号処理部１２１１に転送される。このワイヤレス処理部１２１１で画像データに応じて搬送波が変調されてその変調された搬送波が電波となってアンテナ１２１２から空間に放射される。
【００３０】
その空間に放射された電波が図３に示すリモコン１１により受信される。
【００３１】
図３に示すように、そのリモコン１１の動作はリモコン１１側のメインＣＰＵ１１００により制御されており、この空間に放射された電波がリモコン１１のアンテナ１１０１で受信されたら、ＣＰＵ１１００は、まずワイヤレス信号処理部１１０２にアンテナ１１０１で受信した変調波を復調させる。
【００３２】
そのワイヤレス処理部１１０２に復調させたＹＣからなる画像データを、バス１１０３を介してＹＣ→ＲＧＢ変換部１１０４に転送させ、このＹＣ→ＲＧＢ変換部１１０４でＹＣからなる画像データをＲＧＢ信号に変換させる。この変換させたＲＧＢ信号を次段のドライバ１１０５に供給してそのドライバ１１０５により画像表示ＬＣＤ１１１を駆動させてその画像表示ＬＣＤ１１１の表示画面１１１ａ上にＲＧＢ信号からなる画像データに基づく画像を表示させる。
【００３３】
このようにすることで、デジタルカメラ１２が捉えた被写体が図１の点線で囲んで示す図のようにリモコン１１の表示画面１１１ａ上に表示される。
【００３４】
前述したようにリモコン１１がデジタルカメラ１２に視認させる発光素子１１０を備え、デジタルカメラ１２は、そのＬＥＤ１１０を所定の画角内に捉えたときのみ、リモコン１１からの撮影指示を受け付けるものであるので、撮影者はこのリモコン１１が備える発光素子１１０をデジタルカメラ１２に視認させるようにリモコン１１を構えなければなけれならない。本発明においては撮影装置の一例にあたるデジタルカメラ１２の画角内のどの位置にＬＥＤ１１０が捉えられてもデジタルカメラ１２は撮影指示を受け付けることができるが、撮影者であるリモコン操作者が図１に示すようにＬＥＤ１１０の位置が中央付近になるようにリモコン１１を構えると、デジタルカメラ１２が所定画角内の中心に人物を捉えてベストフレーミングでの撮影がデジタルカメラ１２によって行なわれる。
【００３５】
また、このようにＬＥＤ１１０を所定の画角内に捉えたときにのみ撮影指示がデジタルカメラ１２に受け付けられることを利用して本実施形態の撮影システムが備えるリモコン１１では、ＬＥＤ１１０をリモコン１１のＩＤに応じて点滅させ、その点滅に基づいてリモコンのＩＤをデジタルカメラ１２に認識させている。
【００３６】
図４は、ＬＥＤ１１０の点滅の一例を説明する図である。
【００３７】
図４に示すグラフの横軸は時間であり、縦軸は２値信号０、１それぞれに対応する振幅レベルである。
【００３８】
図４には、２値信号０，１の１のときにＬＥＤ１１０を発光させ、また０のときにＬＥＤ１１０の消灯させてリモコン１１のＩＤに基づいてＬＥＤ１１０をオンオフさせた場合の例が示されている。ここではそのリモコンのＩＤを０１００１０１０としてある。
【００３９】
この点滅に基づいてＩＤを抽出する動作を図３に戻って説明する。
【００４０】
デジタルカメラ１２では、ＹＣ処理部１２１０でＹＣ信号に変換された信号を、バス１２０９を介してワイヤレス信号処理部１２１１に転送するとともに、ＩＤ抽出部１２２０にも供給している。このＩＤ抽出部１２２０では、１フレーム分の画素データのうち、ＬＥＤ１１０が捉えられている部分の輝度信号の振幅が所定の間隔ごとに検出されてＩＤが抽出されている。前述したように中央付近に発光素子が捉えられるようにリモコン１１が構えられて画角内の中央付近部分にＬＥＤ１２が捉えられているとすると、その中央付近部分の輝度信号の振幅差が主に所定の間隔ごとに検出されてＩＤが抽出される。勿論、このデジタルカメラでは、ＬＥＤ１２が画角内のどの位置に捉えられていても撮影指示を受け付けることが可能となっているので、中央付近だけではなく、画角内のすべての範囲内をサーチして輝度信号の振幅の変化だけを抜き取せる構成になっている。
【００４１】
図４に示す点滅周期であれば、０１００１０１０という８ビットのＩＤが時間の経過とともにＩＤ抽出部で抽出される。このデジタルカメラ１２が所定の画角内にＬＥＤ１１０を捉えているときにのみ、撮影指示を受け付ける訳であるから、ＬＥＤ１１０を撮影画角内に捉えさせている間にＩＤが抽出され、その抽出と同時あるいはそれ以降に撮影指示を受け付けて撮影が行なわれる。デジタルカメラが備えるメインＣＰＵ１２００は、ＬＥＤ１１０を所定の画角内に捉えた瞬間に撮影指示を待ち受ける状態に遷移しているので、リモコン１１側のＹ釦１１２が操作されて撮影指示が無線通信によりこのデジタルカメラ１２に送信されてきたら測光・測距ＣＰＵ１２０１にその撮影指示のタイミングで撮影開始の指示を示す信号を供給して、測光・測距ＣＰＵ１２０１にその撮影開始のタイミングに応じてクロックジェネレータ（以下ＣＧという）１２０４を制御させる。この測光・測距ＣＰＵ１２０１はＣＧ１２０４に露光開始信号をＣＣＤ１２０５に供給させ、ＣＣＤ１２０５の各受光素子に電荷の蓄積を開始させ、所定の時間を経た後、今度はＣＧ１２０４に掃き出し信号を供給させて後段の白バランスγ処理部１２０６に画像データを出力させる。白バランスγ処理部１２０６で白バランスγ処理が施されたらバッファメモリ１２０８を介してＹＣ処理部１２１０に画像データが転送されてＲＧＢ信号からなる画像データがＹＣ信号に変換され、さらに圧縮伸張部１２３０に供給されて圧縮伸張部１２３０で画像ファイルが生成される。このときにＩＤ抽出部１２２０で抽出されたＩＤが画像ファイルのヘッダとして画像データとともに記録され画像サーバ１３にＩ／Ｆ１２３１を経由してその画像ファイルが転送される。
【００４２】
画像サーバ１３では、その画像ファイルを受けて、ヘッダからＩＤ番号を抽出してそのＩＤと画像データとを対応づけてファイリングを行なって、ＩＤごとにファイリングされた画像データに基づく撮影画像をプリント装置（図示せず）にプリントさせる。このプリント装置にプリントさせた撮影画像がＩＤごとに仕分けされて、そのＩＤを持つリモコン１１で撮影した入場者に撮影画像が手渡される。
【００４３】
このような構成にすると、リモコン１１を有する撮影者が確実に撮影されて無関係なものが無断で撮影されるといったことがなくなる。また撮影画像の仕分けが的確に行なわれてリモコンにより撮影した本人に確実に撮影画像が手渡される。
【００４４】
図５は撮影システムが複数のデジタルカメラ１２を備えた場合の例を示す図である。
【００４５】
図５の左下に示す図（点線で囲んだ部分）には、いずれかのデジタルカメラの画角内に捉えられた被写体１１１ｃがリモコンの表示画面上に表示された場合の例が示されており、図５の右下に示す図（点線で囲んだ部分）には、表示画面上に選択画面１１１ｂが表示された場合の例が示されている。
【００４６】
図５にはテーマパーク内の様々な場所に設置されたデジタルカメラ１２のうち、リモコン１１を持つ人物周辺に３台のデジタルカメラ１２ａ，１２ｂ，１２ｃがある場合の例が示されている。いままではリモコン１１を持つ人が一つのデジタルカメラに撮影指示を与える場合が多く固定的な画角での撮影が多かった。そこで、本実施形態では、所定の場所に少なくとも２台のカメラを設置して様々な画角での撮影を行なえるように改善している。
【００４７】
また、このように少なくとも２台のカメラがあると、リモコン１１側でデジタルカメラ１２を選択しなければならないのでリモコン１１に選択部を設けて、複数のデジタルカメラのうち、いずれかの選択を行なえるようにしている。
【００４８】
図５に示す例では、リモコン１１を持つ人物の撮影を行なえる３台のデジタルカメラ１２ａ，１２ｂ，１２ｃのうち、いずれかのデジタルカメラを選択することができるように、図５の右下に示す選択画面１１１ｂが表示画面１１１ａ上に表示されている。
【００４９】
ここで、十字キー１１３によりいずれかのデジタルカメラが選択されると、そのデジタルカメラが選択されて、デジタルカメラ側にその選択信号が無線送信されて、その選択信号が無線送信されたデジタルカメラから画像データが無線送信されてくる。例えばデジタルカメラ１２ａが選択されたとすると、図５の左下に示すように表示画面１１１ａ上にそのデジタルカメラ１２ａが捉えている被写体１１１ｃが映し出される。この撮影画角での撮影が気に入らないときには、十字キー１１２などを操作して再度選択画面１１１ｂに戻して再度別のデジタルカメラ１２ｂ，１２ｃの選択を行なってＹ釦１１２を押すと今度は別のデジタルカメラ１２ｂあるいは１２ｃの所定の画角内に捉えている被写体像が表示画面１１１ａ上に表示される。
【００５０】
これを繰り返して自分の気に入った撮影画角が決定したら、Ｙ釦１１２を押して撮影を行なえば自分の気に入った撮影画角での撮影を行なうことができる。
【００５１】
このようにすると、いままでのように固定的な撮影画角だけでなく、いろいろな撮影画角での撮影を楽しむことができる。
【図面の簡単な説明】
【００５２】
【図１】本発明の一実施形態である撮影システムを示す図である。
【図２】デジタルカメラ１２と画像サーバ１３との接続関係およびデジタルカメラ１２の内部構成を示す図である。
【図３】リモートコントローラ１１の内部構成を示す図である。
【図４】ＬＥＤ１１０の点滅の一例を説明する図である。
【図５】この撮影システムが複数のデジタルカメラ１２を備えた場合の例を示す図である。
【符号の説明】
【００５３】
１    撮影システム
１１    リモコン
１１０    発光素子（ＬＥＤ）
１１０ａ    表示画面に表示された発光素子（ＬＥＤ）
１１１    画像表示ＬＣＤ
１１１ａ    表示画面
１１２    Ｙ釦
１１３    十字キー
１１４    Ｎ釦
１２    デジタルカメラ
１２ａ  １２ｂ  １２ｃ    デジタルカメラ
１２００    メインＣＰＵ
１２０１    測光・測距ＣＰＵ
１２０２    撮影光学系
１２０２ａ    フォーカスレンズ
１２０２ｂ    絞り
１２０３    閃光発光装置
１２０３ａ    充電・発光制御部
１２０３ｂ    発光管
１２０４    クロックジェネレータ（ＣＧ）
１２０５    ＣＣＤ
１２０６    白バランスγ処理部
１２０７    Ａ／Ｄ変換部
１２０８    バッファメモリ
１２０９    バス
１２１０    ＹＣ処理部
１２１１    ワイヤレス信号処理部
１２１２    アンテナ
１２２０    ＩＤ抽出部
１２３０    圧縮伸張部
１２３１    Ｉ／Ｆ部
１３    撮影画像サーバ
【図１】
2005192015.tif 000003
【図２】
2005192015.tif 000004
【図３】
2005192015.tif 000005
【図４】
2005192015.tif 000006
【図５】
2005192015.tif 000007